(57)【要約】      （修正有）【課題】電子部品を保護しながらも靴の大型化を招きにくい靴用電子機器を提供する。【解決手段】靴用電子機器１は、支持板９と、底板２と、スペーサ（支持柱３０）と、電子部品４と、を備える。底板２は、支持板９と対向するように配置される。支持板９は、第１の方向における長さが、第１の方向と直交する第２の方向における長さよりも長い。底板２は、第１の方向における長さが、支持板９よりも小さい。底板２は、支持板９と対向するように配置される。スペーサ（支持柱３０）は、支持板９と底板２との間に挟まれて、支持板９と底板２との間隔を規定する。電子部品４は、支持板９と底板２との間に収容される。【選択図】図２
2020005759.tif 000002
【特許請求の範囲】
【請求項１】
第１の方向における長さが前記第１の方向と直交する第２の方向における長さよりも長い支持板と、
前記支持板と対向するように配置され、前記第１の方向における長さが前記支持板よりも小さい底板と、
前記支持板と前記底板との間に挟まれて、前記支持板と前記底板との間隔を規定するスペーサと、
前記支持板と前記底板との間に収容される電子部品と、
を備える、
靴用電子機器。
【請求項２】
第１の方向における長さが前記第１の方向と直交する第２の方向における長さよりも長い支持板を有する靴底に設けられる靴用電子機器であって、
前記支持板と対向するように配置され、前記第１の方向における長さが前記支持板よりも小さい底板と、
前記支持板と前記底板との間に挟まれて、前記支持板と前記底板との間隔を規定するスペーサと、
前記支持板と前記底板との間に収容される電子部品と、
を備える、
靴用電子機器。
【請求項３】
前記スペーサは、前記底板の縁部分に配置された側壁を含む、
請求項１又は２に記載の靴用電子機器。
【請求項４】
前記スペーサは、前記底板の縁部分に配置された複数の周囲柱を含む、
請求項１又は２に記載の靴用電子機器。
【請求項５】
前記スペーサは、前記底板の中央部分に配置された中央柱を含む、
請求項３又は４に記載の靴用電子機器。
【請求項６】
前記スペーサは、４つの第１特定柱と１つの第２特定柱とを含み、
前記４つの第１特定柱は、それぞれを頂点とする四角形を描くように前記底板上に配置され、
前記第２特定柱は、前記４つの第１特定柱のうちで対角に位置する２つの第１特定柱を結ぶ直線同士の交点に配置されている、
請求項１〜５のいずれか一項に記載の靴用電子機器。
【請求項７】
前記底板は、金属製である、
請求項１〜６のいずれか一項に記載の靴用電子機器。
【請求項８】
前記底板と対向するように配置され、前記電子部品が実装される実装基板と、
前記底板と前記実装基板との間に挟まれて、前記底板と前記実装基板との間隔を規定するボスと、
を更に備える、
請求項１〜７のいずれか一項に記載の靴用電子機器。
【請求項９】
前記電子部品は、環境エネルギから電気エネルギを生成する発電装置を含む、
請求項１〜８のいずれか一項に記載の靴用電子機器。
【請求項１０】
前記底板は、前記第１の方向における前記支持板の中央よりも一方側の部分と、対向する、
請求項１〜９のいずれか一項に記載の靴用電子機器。
【請求項１１】
請求項１に記載の靴用電子機器と、
前記支持板と、
を備え、
前記支持板、及び前記靴用電子機器をインサート品とする樹脂成形品である、
靴底。
【請求項１２】
請求項１１に記載の靴底と、
アッパーと、
を備える、
靴。
【請求項１３】
前記靴用電子機器は、前記靴の踵に配置されている、
請求項１２に記載の靴。
【発明の詳細な説明】
【技術分野】
【０００１】
本開示は、一般に靴用電子機器、靴底、及び靴に関し、より詳細には、着用者の足裏を受ける部材を備えた靴に用いられる靴用電子機器、この靴用電子機器を備える靴底、及びこの靴底を備える靴に関する。
【背景技術】
【０００２】
特許文献１には、従来の靴の一例として、耐踏抜き性安全靴が記載されている。
【０００３】
特許文献１に記載された耐踏抜き性安全靴は、ゴム底である靴底と、甲被、先芯、裏材、中底と、靴底と中底との間に介在する踏抜き防止板とが一体的に構成されている。
【先行技術文献】
【特許文献】
【０００４】
【特許文献１】特開平７−４７００２号公報
【発明の概要】
【発明が解決しようとする課題】
【０００５】
安全靴のような靴は、例えばトンネル内等の暗所で用いられる場合がある。そのため、靴に、照明用の発光ダイオード等の電子部品を設けたいという要望がある。
【０００６】
このような靴が使用されるような環境下では、電子部品についても保護部材等によって十分に保護されていることが望ましい。しかしながら、その場合には、保護部材の分だけ靴の大型化を招く可能性がある。
【０００７】
本開示は、電子部品を保護しながらも靴の大型化を招きにくい靴用電子機器、この靴用電子機器を備えた靴底及び靴を提供することを目的とする。
【課題を解決するための手段】
【０００８】
本開示の一態様に係る靴用電子機器は、支持板と、底板と、スペーサと、電子部品と、を備える。底板は、支持板と対向するように配置される。支持板は、第１の方向における長さが、第１の方向と直交する第２の方向における長さよりも長い。底板は、第１の方向における長さが、支持板よりも小さい。スペーサは、支持板と底板との間に挟まれて、支持板と底板との間隔を規定する。電子部品は、支持板と底板との間に収容される。
【０００９】
本開示の一態様に係る靴用電子機器は、第１の方向における長さが第１の方向と直交する第２の方向における長さよりも長い支持板を有する靴底に、設けられる。靴用電子機器は、底板と、スペーサと、電子部品と、を備える。底板は、支持板と対向するように配置される。底板は、第１の方向における長さが支持板よりも小さい。スペーサは、支持板と底板との間に挟まれて、支持板と底板との間隔を規定する。電子部品は、支持板と底板との間に収容される。
【００１０】
本開示の一態様に係る靴底は、靴用電子機器と、支持板と、を備える。靴底は、支持板、及び靴用電子機器をインサート品とする樹脂成形品である。
【００１１】
本開示の一態様に係る靴は、靴底と、アッパーと、を備える。
【発明の効果】
【００１２】
本開示によれば、電子部品を保護しながらも靴の大型化を招きにくい靴用電子機器、および、この靴用電子機器を備えた靴底及び靴を提供できる。
【図面の簡単な説明】
【００１３】
【図１】本開示の一実施形態に係る靴用電子機器を備えた靴の断面図。
【図２】同上の靴用電子機器の斜視図。
【図３】同上の靴用電子機器及び支持板の分解斜視図。
【図４】同上の靴用電子機器の平面図。
【図５】図５Ａは、同上の靴用電子機器の斜視図。図５Ｂは、図５ＡのＸ１−Ｘ１線に対応する位置における、同上の靴用電子機器及び支持板の断面図。
【図６】図６Ａは、比較例の靴用電子機器の斜視図。図６Ｂは、図６ＡのＸ２−Ｘ２線に対応する位置における、比較例の靴用電子機器及び支持板の断面図。
【図７】本開示の変形例１の靴用電子機器の斜視図。
【図８】同上の靴用電子機器及び支持板の分解斜視図。
【図９】同上の靴用電子機器の平面図。
【図１０】図１０Ａは、同上の靴用電子機器の斜視図。図１０Ｂは、図１０ＡのＸ３−Ｘ３線に対応する位置における、同上の靴用電子機器及び支持板の断面図。
【発明を実施するための形態】
【００１４】
（１）概要
図１は、本実施形態の靴１００を示す。本実施形態の靴１００は、製造業等の事業場において着用者の足を保護するための靴であり、例えば、日本工業規格の安全靴に関する規格（ＪＩＳ  Ｔ８１０１）に準拠する安全靴である。
【００１５】
図１に示すように、靴１００は、靴底（sole）１０と、アッパー（upper）１１と、を備えている。靴底１０は、靴１００の最下層を形成する部品である。アッパー１１は、靴１００において靴底１０を除いた上の部分である。アッパー１１は、靴底１０の上部に取り付けられている。
【００１６】
図１に示すように、アッパー１１は、中底１１１と、先芯１１２を含む甲部１１３と、を備えており、着用者の足を包む空間Ｓ１を構成する。
【００１７】
靴底１０は、支持板９と、靴用電子機器１と、を備えている。
【００１８】
支持板９は、靴１００において、着用者の足裏を直接的または間接的に受ける部材である。ここで、「着用者の足裏を直接的に受ける」は、着用者の足裏と対向可能な位置に配されていることを意味する。また、「着用者の足裏を間接的に受ける」は、着用者の足裏と間接部材を介して対向可能な位置に配置されていることを意味する。間接部材は、例えば、インソールやミッドソールなどである。
【００１９】
本実施形態では、支持板９は、たとえば、鉄や鉄合金などの金属製の板である。支持板９は、たとえば、安全靴や作業靴等における踏み抜き防止用の部材である。支持板９は、アッパー１１の中底１１１の下面に固定されている。支持板９は、例えば、ＪＩＳ  Ｔ８１０１に準拠するように、１１００Ｎ以上のクギの力に耐え得る強度を有している。第１の方向における支持板９の長さは、第２の方向における支持板９の長さに比べて長い。ここで、第１の方向は、第２の方向と直交する。以降、説明を簡単にするために、第１の方向を前後方向、第２の方向を左右方向とする。また、第１の方向および第２の方向の両方と直交する第３の方向を、上下方向とする。なお、図面中の各方向を示す矢印は説明のために表記しているに過ぎず、実体を伴わない。
【００２０】
靴用電子機器１は、支持板９の下側に配置されている。靴用電子機器１は、図１に示すように、靴底１０の中央よりも後側の部分に配置されている。つまり、靴用電子機器１は、靴１００の踵に配置されている。ここで、「靴底１０の中央」とは、靴底１０を前後方向に奇数に等分（３等分、５等分、７等分、９等分等）したときの中央（前から数えても後から数えても同じ番号となる）部分である。なお、ここでの「靴底１０の中央」とは、靴底１０の左右方向における位置を限定するものでない。
【００２１】
靴用電子機器１は、図２〜図５Ｂに示すように、底板２と、スペーサ３と、電子部品４と、を備えている。
【００２２】
底板２は、支持板９と対向するように配置されている。また、底板２は、支持板９の中央よりも後側の部分と対向するように配置されている。つまり、底板２は、第１の方向における支持板９の中央よりも一方側の部分と、対向する。ここで、「支持板９の中央」とは、支持板９を前後方向に奇数に等分（３等分、５等分、７等分、９等分等）したときの中央（前から数えても後から数えても同じ番号となる）部分である。なお、ここでの「支持板９の中央」とは、靴底１０の左右方向における位置を限定するものでない。
【００２３】
スペーサ３は、支持板９と底板２との間に挟まれている。スペーサ３は、支持板９と底板２との間隔を規定する。スペーサ３は、支持板９と底板２との間隔を規定し、支持板９と底板２との間に収容空間Ｓ２（図５Ｂ参照）を形成する。
【００２４】
電子部品４は、支持板９と底板２との間に収容される。つまり、電子部品４は、収容空間Ｓ２内に収容される。
【００２５】
上述のように、本実施形態の靴用電子機器１は、底板２を備えている。このため、例えば、靴１００の着用者が靴底１０で異物を踏んだとしても、底板２によって靴底１０の形状（特に、収容空間Ｓ２の内部形状）が変形しにくくなっており、収容空間Ｓ２に収容されている電子部品４に応力がかかりにくくなっている。また、例えば、靴１００の着用者が靴底１０で尖った異物（たとえばクギやネジ等）を踏んだとしても、収容空間Ｓ２内への異物の侵入を底板２によって防ぐことができ、異物が電子部品４まで到達しにくくなっている。すなわち、本実施形態の靴用電子機器１は、電子部品４の保護を図ることが可能となる。
【００２６】
さらに、本実施形態の靴用電子機器１では、電子部品４が、支持板９と底板２との間に収容されている。このため、靴用電子機器１を備えた靴１００は、例えば、図６Ａ，６Ｂに示すような、支持板９と底板２との間にケース２１０が配置され、このケース２１０内に電子部品４が収容されているような比較例の靴と比較して、靴底１０の厚さを薄くすることができる。すなわち、本実施形態の靴用電子機器１は、靴１００の大型化を招きにくいという利点がある。
【００２７】
（２）構成
以下、本実施形態の靴用電子機器１、靴底１０及び靴１００の構成について、図面を参照して説明する。
【００２８】
（２．１）靴用電子機器
図２〜図５Ｂに示すように、靴用電子機器１は、底板２と、スペーサ３と、電子部品４とに加えて、実装基板５と、基板支持部６と、を備えている。
【００２９】
底板２は、例えば鉄や鉄合金などの金属製の板である。本実施形態では、底板２は鉄板である。底板２は、前後方向の寸法の方が、左右方向（の寸法よりも大きな（つまり、第１の方向における長さが第２の方向における長さよりも長い）矩形の板状である。底板２は、その四隅が面取りされて、角部において側面がＲ面となっている。底板２は、支持板９よりも小さい。底板２は、前後方向の寸法（第１の方向における長さ）が、支持板９よりも小さい。より詳細には、底板２は、平面視において支持板９の外周線の内側に収まる形状である。なお、靴用電子機器１は、支持板９を構成要件として含んでいてもよいし、含んでいなくてもよい。また、本開示での「平面視」とは、アッパー１１側から靴底１０に向かう方向で見ること、すなわち図１の上側から見ることを意味する。
【００３０】
スペーサ３は、複数（図示例では７つ）の支持柱３０を含んでいる。
【００３１】
各支持柱３０は、円柱状である。本実施形態において、複数の支持柱３０の高さ（上下方向の寸法）は全て等しい。ただし、複数の支持柱３０の高さは完全に一致していなくてもよく、製造誤差程度のばらつきは許容される。
【００３２】
複数の支持柱３０は、底板２の上面の所定位置に、それぞれ配置されている。各支持柱３０の下面は、底板２の上面に直接接触している。また、図５Ｂに示すように、各支持柱３０の上面は、支持板９の下面に直接接触している。支持柱３０は、例えば、接着剤又は粘着剤等の適宜の手段により、底板２の上面に固定される。各支持柱３０は樹脂製である。ただし、これに限定されず、支持柱３０は、金属等の他の材料から形成されていてもよい。
【００３３】
複数の支持柱３０は、複数（図示例では６つ）の周囲柱３１と、（図示例では１つの）中央柱３２と、を含んでいる。
【００３４】
図４に示すように、各周囲柱３１は、底板２の縁に沿った位置に配置されている。すなわち、スペーサ３は、底板２の縁部分に配置された複数（ここでは６つ）の周囲柱３１を含んでいる。一例において、底板２の縁部分は、底板２を左右方向に３以上に等分（３等分、４等分、５等分等）したときの左右方向の端（左端又は右端）の部分、及び前後方向に３以上に等分したときの前後方向の端（前端又は後端）の部分を含む。
【００３５】
６つの周囲柱３１のうちの４つは、底板２の四隅にそれぞれ配置されている。また、６つの周囲柱３１のうちの残りの２つは、底板２の長さ方向（図４の左右方向）の中央における幅方向（図４の上下方向）の両端の位置に、それぞれ配置されている。底板２の四隅に配置される４つの周囲柱３１の各々は、図４に示すように、その側面が、Ｒ面を呈する底板２の角部の側面と略面一となっている。
【００３６】
このように、スペーサ３が複数の周囲柱３１を含んでいることで、底板２の縁部分において、周囲柱３１により支持板９を上下方向に支持することが可能となる。
【００３７】
中央柱３２は、底板２の中央部分に配置されている。すなわち、スペーサ３は、底板２の中央部分に配置された中央柱３２を含んでいる。ここで、底板２の中央部分とは、底板２を前後方向に奇数に等分（３等分、５等分、７等分、９等分等）したときの前後方向の中央（前から数えても後から数えても同じ番号となる）部分であって、かつ底板２を左右方向に奇数に等分したときの左右方向の中央（左から数えても右から数えても同じ番号となる）部分である。また、より好ましくは、中央柱３２の少なくとも一部は、前後方向の長さの中点を通り前後方向に直交する直線と、左右方向の長さの中点を通り左右方向と直交する直線との交点と重なる位置に配置されている。
【００３８】
このように、スペーサ３が中央柱３２を含んでいることで、底板２の中央部分において、中央柱３２により支持板９を上下方向に支持することが可能となる。また、スペーサ３が複数の周囲柱３１に加えて中央柱３２を含んでいることで、底板２の縁部分及び中央部分において、支持板９を上下方向に支持することが可能となり、支持板９の支持の信頼性が向上する。
【００３９】
また、６つの周囲柱３１のうちの特定の４つ（ここでは四隅）に着目すると、中央柱３２は、４つの周囲柱３１のうちで対角に位置する２つの周囲柱３１を結ぶ直線Ｌ１同士の交点に、配置されている（図４参照）。
【００４０】
言い換えれば、スペーサ３は、４つの第１特定柱３０１（周囲柱３１）と、１つの第２特定柱３０２（中央柱３２）と、を含んでいる。４つの第１特定柱３０１は、それぞれを頂点とする四角形を描くように、底板２上に配置されている。第２特定柱３０２は、４つの第１特定柱３０１のうちで対角に位置する２つの第１特定柱３０１を結ぶ直線Ｌ１同士の交点に、配置されている。
【００４１】
このように、スペーサ３が第２特定柱３０２を含んでいることで、４つの第１特定柱３０１によって支持板９を上下方向に支持する際に支持板９において最も撓みが起こりやすい部分（直線Ｌ１の交点の部分）を、第２特定柱３０２で支持することができる。
【００４２】
なお、中央柱３２は、四隅の周囲柱３１の対角線の交点に配置されているだけではなく、例えば、前後方向の中央の２つの周囲柱３１を結ぶ直線と、左前及び右後（図４の右上及び左下）の２つの周囲柱３１を結ぶ直線と、の交点に位置しているとも言える。この４つの周囲柱３１を、第１特定柱３０１とみなしてもよい。この場合でも、４つの第１特定柱３０１と第２特定柱３０２とによって、上下方向において、支持板９を確実に支持することができる。
【００４３】
要するに、スペーサ３は、それぞれを頂点とする四角形を描くように底板２上に配置されている４つの第１特定柱３０１と、対角に位置する２つの第１特定柱３０１を結ぶ直線同士の交点に配置されている第２特定柱３０２と、を備えているのが好ましい。なお、４つの第１特定柱３０１によって描かれる四角形は、正方形又は長方形であることが好ましい。言い換えれば、４つの第１特定柱３０１が、正方形又は長方形の４つの頂点にそれぞれ位置し、第２特定柱３０２が、この正方形又は長方形の中心に位置していることが好ましい。
【００４４】
図４、図５Ａに示すように、中央柱３２は、その側面の下側の部分に、その径方向に突出する４つの支持リブ３２１を有している。これにより、上下方向に力が加えられた場合でも、中央柱３２が径方向に変形するのが抑制される。
【００４５】
底板２の上面において右後側（図４の左下）の位置には、電子部品４である発電装置４０が配置されている。発電装置４０は、ここでは、圧電体を利用して振動エネルギを電気エネルギに変換する発電デバイス（圧電型振動発電デバイス）である。すなわち、電子部品４は、環境エネルギ（振動エネルギ）から電気エネルギを生成する発電装置４０を含んでいる。
【００４６】
発電装置４０は、例えば、シリコン基板を含むデバイス基板と、デバイス基板の一表面に形成されている発電部と、デバイス基板及び発電部を収容する筐体と、を備えている。デバイス基板は、枠状の支持体と、支持体の内側において支持体に揺動自在に支持されたカンチレバーと、カンチレバーにおいて支持体に支持されている部分とは反対側の先端に設けられた錘と、を有している。発電部は、一対の電極と、一対の電極の間に挟まれて電極同士を結ぶ向きに分極している圧電体と、を有している。発電部は、デバイス基板におけるカンチレバー上に設けられている。発電装置４０は、例えば、接着剤又は粘着剤等の適宜の手段により、底板２の上面に固定される。発電装置４０は、例えば、カンチレバーが上下方向に揺動するように底板２上に配置されている。発電装置４０は、カンチレバーが揺動する向きの力を受けることでカンチレバーが振動すると、圧電体が応力を受けて一対の電極間に電荷の偏りが生じ、交流電圧を発生させる。
【００４７】
底板２の上面において左前側（図４の右上）の位置には、実装基板５が配置されている。実装基板５は、底板２に隙間を空けて対向している。図５Ａに示すように、実装基板５は、基板支持部６によって底板２上に支持されている。
【００４８】
実装基板５は、例えばガラスエポキシ基板等の所望のリジッドタイプの基板であって、適宜の電子部品４が実装されている。実装基板５に実装される電子部品４としては、例えば、所望の電気回路を構成するスイッチ、抵抗、コンデンサ、インダクタ等が挙げられる。実装基板５に実装される電子部品４は、例えば、発電装置４０で生成される電気エネルギによってオンされる常開型のスイッチを含んでいる。
【００４９】
基板支持部６は、複数（図示例では４つ）のボス（基板支持用ボス）６０を含んでいる。各ボス６０は、円柱状である。複数のボス６０は、底板２の上面の所定位置に、それぞれ配置されている。ここでは、４つのボス６０は、その上に実装基板５の四隅の部分がそれぞれ載置可能となるように、底板２上に配置されている。各ボス６０の下面は、底板２の上面に直接接触している。各ボス６０の上面は、実装基板５の下面に直接接触している。ボス６０は、例えば、接着剤又は粘着剤等の適宜の手段により、底板２の上面に固定される。各ボス６０は、樹脂製である。ただし、これに限定されず、ボス６０は、金属等の他の材料から形成されていてもよい。
【００５０】
図３、図５Ｂに示すように、各ボス６０の上面には、ねじ穴６１が形成されている。実装基板５において、各ボス６０に対応する位置には、貫通孔５０が形成されている。ねじ６２を、実装基板５の貫通孔５０を通してボス６０のねじ穴６１に結合することで、実装基板５がボスに固定されて、実装基板５がボス６０を介して底板２上に支持される。
【００５１】
すなわち、靴用電子機器１は、底板２と対向するように配置されて電子部品４が実装される実装基板５と、底板２と実装基板５との間に挟まれて底板２と実装基板５との間隔を規定するボス６と、を備えている。
【００５２】
（２．２）靴底
図１に示すように、靴底１０は、靴用電子機器１と支持板９とに加えて、表底（outsole）９１を備えている。
【００５３】
図１に示すように、支持板９は、靴１００のいわゆる中底（insole）や中間底（midsole）に対応する部分に位置している。
【００５４】
本実施形態の支持板９は、上述のように鉄板である。支持板９は、底板２よりも大きい。支持板９は、平面視において、その外周線の内側に底板２が収まる形状である。また、支持板９は、平面視において、標準的な着用者の足裏の全体を覆うことが可能な外周形状を有している。
【００５５】
図１、図２に示すように、靴用電子機器１は、支持板９のうちで、前後方向の中央よりも後側の部分と対向している。つまり、靴用電子機器１は、支持板９において着用者の踵を支持する部分と対向している。図１、図５Ｂに示すように、靴底１０では、支持板９と底板２との間に、電子部品４が収容される収容空間Ｓ２が形成されている。
【００５６】
表底９１は、たとえば、ポリウレタンやゴムなどの樹脂によって形成される。
【００５７】
表底９１は、所定の型内に支持板９と靴用電子機器１とを配置し、型内に樹脂を注入することで形成される。つまり、靴底１０は、支持板９及び靴用電子機器１（底板２、スペーサ３、電子部品４、実装基板５、及び基板支持部６）をインサート品とする樹脂成形品であって、インサート成形により形成される。なお、電子部品４は、インサート成形時の熱に耐えうる程度の耐熱性を有していることが好ましい。
【００５８】
靴底１０では、表底９１の形成時に、電子部品４が収容されている収容空間Ｓ２内にも、表底９１の原料（たとえばポリウレタンやゴムなどの樹脂）が流れ込む。これによって、靴用電子機器１が、表底９１を介して支持板９と一体化される。このように、靴底１０では、収容空間Ｓ２内にも樹脂が充填されているので、例えば着用者が靴底１０の踵の部分で異物を踏んだとしても、靴底１０（特に、収容空間Ｓ２の部分）が更に変形しにくくなっている。
【００５９】
例えば、電子部品４が、上述のように圧電型振動発電デバイスを含んでいる場合、発電装置４０の筐体が変形を起こすと、カンチレバーが振動したときに筐体に接触するという不具合が発生する可能性がある。これに対して、本実施形態の靴用電子機器１は、底板２及び表底９１によって、発電装置４０の筐体の変形を抑制することができ、発電装置４０の不具合の発生を抑制することが可能となる。
【００６０】
（２．３）靴
図１に示すように、靴１００は、靴底１０と、アッパー１１と、を備えている。
【００６１】
上述のように、アッパー１１は、中底１１１と、甲部１１３と、を備えている。
【００６２】
中底１１１は、樹脂、革等の靴の材料として使用可能な適宜の材料で形成されている。甲部１１３は、樹脂、革等の靴の材料として使用可能な適宜の材料で、中底１１１と一体に形成されている。甲部１１３は、先芯１１２を含んでいる。先芯１１２は、金属又は樹脂から、ＪＩＳ  Ｔ８１０１に規定された耐衝撃性能（重作業用・普通作業用又は軽作業用）、耐圧迫性能（重作業用・普通作業用又は軽作業用）を満たすように形成されている。
【００６３】
アッパー１１は、例えば接着剤又は合成樹脂を用いた加圧接着等の適宜の接合方法で、靴底１０と一体化される。これにより、靴用電子機器１を含む靴底１０とアッパー１１とを備えた靴１００が形成される。
【００６４】
（３）利点
次に、本実施形態の靴用電子機器１を備えた靴１００の利点について、比較例の靴との比較を交えて説明する。比較例の靴は、本実施形態の靴用電子機器１とは異なる靴用電子機器２０１を備えている。
【００６５】
靴用電子機器２０１は、図６Ａ、図６Ｂに示すように、底板２、スペーサ３、電子部品４、実装基板５、及び基板支持部６に加えて、これらを収容するケース２１０を更に備えている。ただし、靴用電子機器２０１では、スペーサ３が周囲柱３１を備えていない。
【００６６】
ケース２１０は、ボディ２２０とカバー２３０とを有している。ボディ２２０は、上面が開口した中空の箱状であって、底壁２２１、及び周壁２２２を一体に有している。ボディ２２０は、その内部に、底板２、スペーサ３、電子部品４、実装基板５、及び基板支持部６を収容する収容空間を有している。言い換えれば、靴用電子機器２０１は、ボディ２２０とカバー２３０とによって収容空間を形成している。カバー２３０は、ボディ２２０の上面開口を塞ぐように、ボディ２２０に取り付けられる。そして、図６Ｂに示すように、支持板９と底板２との間に、ケース２１０が収容されている。
【００６７】
比較例の靴では、靴用電子機器２０１が、支持板９と底板２との間に収容されるケース２１０を有しているため、本実施形態の靴１に比べて、靴底１０の踵部分の厚さ（上下方向の寸法）が大きくなる可能性がある（図５Ｂ、図６Ｂ参照）。
【００６８】
これに対して、本実施形態の靴１００の靴用電子機器１は、底板２とスペーサ３と支持板９とによって、靴用電子機器２０１の収容空間に一応相当する靴１００の収納空間を実現している。このため、本実施形態の靴１００は、比較例の靴に比べて、底壁２２１及びカバー２３０の分だけ、靴底１０の厚さに余裕が生まれる（靴底１０の厚さが薄くなる）。
【００６９】
なお、底板２とスペーサ３と支持板９とがなす靴１００の収納空間は、たとえば樹脂などが充填されていてもよい。また、底板２よりも面積の小さい（例えば、平面視において底板２の外周線の内側に収まる形状の）天面板が、支持板９に設けられていてもよい。天面板は、靴１００の収納空間で支持板９の底板２側の面に設けられていてもよい。
【００７０】
また、本実施形態の靴１００は、比較例の靴に比べて、底壁２２１及びカバー２３０の分だけ材料を少なくでき、コストの削減を図れる。さらに、本実施形態の靴１００は、支持板９及び底板２によって、電子部品４の保護を図ることも可能である。電子部品４の保護の観点から見ると、本実施形態の靴１００では、底板２が、比較例の靴の底板２及び底壁２２１の役割を兼用しており、また、支持板９が、比較例の靴の支持板９及びカバー２３０の役割を兼用していると言える。このように、本実施形態の靴用電子機器１は、電子部品４を保護しながらも、比較例の靴用電子機器２０１に比べて靴の大型化を招きにくい、という利点がある。
【００７１】
一例において、靴底１０は、そのつま先部分に、発光ダイオード等の照明用の光源を備えていることが好ましい。また、靴底１０は、光源への電力供給用の電池（一次電池）を備えていることが好ましい。そして、電池から光源への電力供給経路に、実装基板５に実装された電子部品４である常開型のスイッチが接続されていることが好ましい。この構成では、靴１００の着用者が歩くことによって、発電装置４０が生成する電気エネルギによりスイッチがオンされて、光源を点灯させることができる。なお、靴１００は、電子部品４がタイマーを更に含み、スイッチがオンされてからタイマーが所定の時間の経過をカウントしたときに、スイッチをオフする構成であってもよい。
【００７２】
別例において、電子部品４は、発電装置４０で生成された電気エネルギによって電波（無線信号）を放射するアンテナを含んでいてもよい。例えば、トンネル内等の作業場に、このアンテナが放射する電波の周波数に応じて点灯される照明が配置されていれば、靴１００の着用者が作業場内を歩くことで、作業場の照明を点灯させることもできる。
【００７３】
もちろん、電子部品４は、発電装置４０、スイッチ、アンテナ等に限定されない。
【００７４】
（４）変形例
上述の実施形態は、本開示の様々な実施形態の一つに過ぎない。上述の実施形態は、本開示の目的を達成できれば、設計等に応じて種々の変更が可能である。以下に、いくつかの変形例について列記する。以下では上述した実施形態を「基本例」と呼ぶ。上述した基本例及び以下に説明する変形例は、適宜組み合わせて適用可能である。
【００７５】
（４．１）変形例１
変形例１の靴用電子機器１は、図７〜図１０Ｂに示すように、基本例とは異なる形状のスペーサ３を備えている。変形例１において、基本例と同様の構成については、同一の符号を付して適宜説明を省略する。
【００７６】
本変形例のスペーサ３は、底板２の縁部分に配置された側壁３５を含んでいる。より詳細には、本変形例のスペーサ３は、前壁３５１、後壁３５２、左壁３５３、及び右壁３５４の４つの側壁３５を含んでいる。前壁３５１、後壁３５２、左壁３５３、及び右壁３５４の各々は、矩形板状である。本変形例において、前壁３５１、後壁３５２、左壁３５３、及び右壁３５４の高さは全て等しいが、製造誤差程度のばらつきは許容される。各側壁３５は樹脂製であるが、これに限定されず、金属等の他の材料から形成されていてもよい。
【００７７】
図９に示すように、前壁３５１は、底板２の前縁に沿って配置されている。後壁３５２は、底板２の後縁に沿って配置されている。左壁３５３は、底板２の左縁に沿って配置されている。右壁３５４は、底板２の右縁に沿って配置されている。
【００７８】
本変形例では、前壁３５１の左端が左壁３５３の前端につながり、前壁３５１の右端が右壁３５４の前端につながり、後壁３５２の左端が左壁３５３の後端につながり、後壁３５２の右端が右壁３５５の後端につながっている。つまり、４つの側壁３５によって、平面視矩形枠状の周壁３５０が構成されている。なお、側壁３５同士の結合部分（周壁３５０の角部分）は、面取りされてＲ面となっている。
【００７９】
このように、スペーサ３が側壁３５を含んでいることで、底板２の縁部分において支持板９を支持することが可能となる。また、スペーサ３が４つの側壁３５を含んでいるので、靴底１０をインサート成形によって製造する際に、収容空間Ｓ２（図１０Ｂ参照）内に樹脂が浸入しにくくなる。このため、靴底１０のインサート成形時において、電子部品４の位置ずれ等の不具合の発生が抑制される。
【００８０】
また、図９〜図１０Ｂに示すように、本変形例においても、スペーサ３は、中央柱３２を含んでいる。このため、スペーサ３は、底板２の中央部分において、支持板９を上下方向に支持することが可能となる。
【００８１】
なお、本変形例において、スペーサ３は、側壁３５を４つ備えていなくてもよく、例えば前壁３５１と後壁３５２とだけを備えていてもよい。また、各側壁３５は、貫通孔を有していてもよいし、スリットによって２以上の部材に分割されていてもよい。この場合、靴底１０のインサート成形時に、収容空間Ｓ２内への樹脂の浸入が許容されるので、基本例のスペーサ３と同様の効果を奏することが可能となる。また、側壁３５は、収容空間Ｓ２内の電子部品４から光源に延びる配線を通すための、貫通孔等を有していてもよい。
【００８２】
（４．２）その他の変形例
底板２の形状は、平面視矩形状に限られない。底板２は、矩形状以外の任意の多角形状或いは円形状・楕円状等の形状であってもよい。底板２は、金属製でなくてもよく、例えば樹脂製であってもよい。底板２は、板状でなく例えばメッシュ状であってもよい。
【００８３】
複数の支持柱３０は、互いに高さが異なっていてもよい。例えば、支持柱３０は、底板２が支持板９に対して斜めに対向するように、前側の支持柱３０の方が後側の支持柱３０より低くてもよい。また、複数の支持柱３０の上面又は下面が、傾斜していてもよい。
【００８４】
周囲柱３１も、中央柱３２と同様に、支持リブを備えていてもよい。
【００８５】
スペーサ３が含む周囲柱３１の数は６でなくてもよい。中央柱３２の数も、１つでなくてもよく複数であってもよい。
【００８６】
発電装置４０は、環境エネルギから電気エネルギを生成できればよく、圧電型の振動発電デバイスに限られず、例えば電磁誘導型の発電装置等であってもよい。
【００８７】
基板５は、ボス６０にねじ止め以外の方法、例えば接着等によって固定されてもよい。
【００８８】
支持板９は、金属製でなくてもよく、例えば樹脂製であってもよい。支持板９は、板状でなく例えばメッシュ状であってもよい。
【００８９】
靴１００は、ＪＩＳ  Ｔ８１０１に準拠する安全靴でなくてもよく、例えばＩＳＯ  ８７８２−１に準拠する安全靴・保護靴・作業靴であってもよいし、踏み抜き防止プレートを備えた適宜の靴であってもよい。或いは、靴１００は、支持板９として踏み抜き防止プレートを備えていなくてもよく、支持板９として、標準的な着用者が着用したときに電子機器４に過度な負荷がかからない程度の強度を有する部材を備えていてもよい。
【００９０】
靴用電子機器１は、靴１００の踵に配置されていなくてもよく、例えばつま先等に配置されていてもよい。つまり、靴用電子機器１は、靴底１０の中央よりも前側の部分に配置されていてもよい。また、底板２も、支持板９の中央よりも前側の部分と対向するように配置されていてもよい。
【００９１】
また、靴用電子機器１は、靴１００の土踏まずの部分に配置されていてもよい。つまり、靴用電子機器１は、靴底１０の中央部分に配置されていてもよい。また、底板２も、支持板９の中央部分と対向するように配置されていてもよい。
【００９２】
（４）態様
以上説明した実施形態等から以下の態様が開示されている。
【００９３】
第１の態様の靴用電子機器（１）は、支持板（９）と、底板（２）と、スペーサ（３）と、電子部品（４）と、を備える。底板（２）は、支持板（９）と対向するように配置される。支持板（９）は、第１の方向における長さが、第１の方向と直交する第２の方向における長さよりも長い。底板（２）は、第１の方向における長さが、支持板（９）よりも小さい。スペーサ（３）は、支持板（９）と底板（２）との間に挟まれる。スペーサ（３）は、支持板（９）と底板（２）との間隔を規定する。電子部品（４）は、支持板（９）と底板（２）との間に収容される。
【００９４】
この態様によれば、底板（２）によって電子部品（４）を保護しながらも、靴用電子機器（１）を備えた靴（１００）の大型化を招きにくい。
【００９５】
第２の態様の靴用電子機器（１）は、第１の方向における長さが第１の方向と直交する第２の方向における長さよりも長い支持板（９）を有する靴底（１０）に、設けられる。靴用電子機器（１）は、底板（２）と、スペーサ（３）と、電子部品（４）と、を備える。底板（２）は、支持板（９）と対向するように配置される。底板（２）は、第１の方向における長さが支持板（９）よりも小さい。スペーサ（３）は、支持板（９）と底板（２）との間に挟まれて、支持板（９）と底板（２）との間隔を規定する。電子部品（４）は、支持板（９）と底板（２）との間に収容される。
【００９６】
この態様によれば、底板（２）によって電子部品（４）を保護しながらも、靴用電子機器（１）を備えた靴（１００）の大型化を招きにくい。
【００９７】
第３の態様の靴用電子機器（１）では、第１又は第２の態様において、スペーサ（３）は、底板（２）の縁部分に配置された側壁（３５）を含む。
【００９８】
この態様によれば、側壁（３５）によって、底板（２）に対して支持板（９）を支持することができる。
【００９９】
第４の態様の靴用電子機器（１）では、第１又は第２の態様において、スペーサ（３）は、底板（２）の縁部分に配置された複数の周囲柱（３１）を含む。
【０１００】
この態様によれば、周囲柱（３１）によって、底板（２）に対して支持板（９）を支持することができる。
【０１０１】
第５の態様の靴用電子機器（１）では、第３又は第４の態様において、スペーサ（３）は、底板（２）の中央部分に配置された中央柱（３２）を更に含む。
【０１０２】
この態様によれば、中央柱（３２）によって、底板（２）に対して支持板（９）をより確実に支持することができる。
【０１０３】
第６の態様の靴用電子機器（１）では、第１〜第５のいずれか一つの態様において、スペーサ（３）は、４つの第１特定柱（３００）と１つの第２特定柱（３０２）とを含む。４つの第１特定柱（３００）は、それぞれを頂点とする四角形を描くように底板（２）上に配置される。第２特定柱（３０２）は、４つの第１特定柱（３００）のうちで対角に位置する２つの第１特定柱（３００）を結ぶ直線（Ｌ１）同士の交点に配置されている。
【０１０４】
この態様によれば、第２特定柱（３０２）によって、底板（２）に対して支持板（９）をより確実に支持することができる。
【０１０５】
第７の態様の靴用電子機器（１）では、第１〜第６のいずれか一つの態様において、底板（２）は、金属製である。
【０１０６】
この態様によれば、底板（２）の強度を向上させることが可能となり、電子部品（４）を保護することが可能となる。
【０１０７】
第８の態様の靴用電子機器（１）は、第１〜第７のいずれか一つの態様において、実装基板（５）と、ボス（６）と、を更に備える。実装基板（５）は、底板（２）と対向するように配置される。実装基板（５）は、電子部品（４）が実装される。ボス（６）は、底板（２）と実装基板（５）との間に挟まれて、底板（２）と実装基板（５）との間隔を規定する。
【０１０８】
この態様によれば、電子部品（４）を底板（２）から離して配置することが可能となる。
【０１０９】
第９の態様の靴用電子機器（１）では、第１〜第８のいずれか一つの態様において、電子部品（４）は、環境エネルギから電気エネルギを生成する発電装置（４０）を含む。
【０１１０】
この態様によれば、例えば電子部品（４）として電池を設ける場合に比べて、部品交換の必要性が低くなる。もちろん、靴用電子機器（１）は、電池を更に含んでいてもよい。この場合、発電装置（４０）が電池の消費電力の一部を肩代わりすることで、電池の寿命を延ばすことができる。
【０１１１】
第１０の態様の靴用電子機器（１）では、第１〜第９のいずれか一つの態様において、底板（２）は、第１の方向における支持板（９）の中央よりも一方側の部分と、対向する。
【０１１２】
この態様によれば、第１の方向が靴（１００）の前後方向に沿うように支持板（９）が配置されている場合、靴（１００）の靴底（１０）において厚さが厚くなる部分（踵、又はつま先）に、靴用電子機器（１）の底板（２）を配置することができる。
【０１１３】
第１１の態様の靴底（１０）は、第１の態様の靴用電子機器（１）と、支持板（９）と、を備える。靴底（１０）は、支持板（９）、及び靴用電子機器（１）をインサート品とする樹脂成形品である。
【０１１４】
この態様によれば、支持板（９）、及び靴用電子機器（１）をインサート品としてインサート成形により製造することで、靴底（１０）を一体に形成することができる。
【０１１５】
第１２の態様の靴（１００）は、第１１の態様の靴底（１０）と、アッパー（１１）と、を備える。
【０１１６】
この態様によれば、底板（２）によって電子部品（４）を保護しながら、靴用電子機器（１）を備え薄型化された靴底（１０）を備えた靴（１００）を提供することが可能となる。
【０１１７】
第１３の態様の靴（１００）では、第１２の態様において、靴用電子機器（１）は、靴（１００）の踵に配置されている。
【０１１８】
この態様によれば、靴（１００）のうちで最も厚い部分に靴用電子機器（１）を配置することで、靴（１００）全体のサイズの増加を抑制することが可能となる。
【符号の説明】
【０１１９】
１  靴用電子機器
２  底板
３  スペーサ
３１  周囲柱
３２  中央柱
３０１  第１特定柱
３０２  第２特定柱
３５  側壁
４  電子部品
４０  発電装置
５  実装基板
６  ボス
９  支持板
１０  靴底
１００  靴
Ｌ１  直線
【図１】
2020005759.tif 000003
【図２】
2020005759.tif 000004
【図３】
2020005759.tif 000005
【図４】
2020005759.tif 000006
【図５】
2020005759.tif 000007
【図６】
2020005759.tif 000008
【図７】
2020005759.tif 000009
【図８】
2020005759.tif 000010
【図９】
2020005759.tif 000011
【図１０】
2020005759.tif 000012